(57)【要約】      （修正有）【課題】使用時において回動脚体が不意に回動することを抑制できるコンパスを提供する。【解決手段】中心脚２が脚本体６と回動脚体７を備える。脚本体６は連結部を有する。回動脚体７は一端部に針部１２を有すると共に他端部に被連結部を有する。回動脚体７の被連結部を脚本体６の連結部に回動自在に連結して、回動脚体７を針部１２が脚本体６に格納される格納位置から針部１２側が脚本体６の先端側に突出する突出位置まで回動可能とする。回動脚体７の被連結部を脚本体６の連結部に対してスライド自在にして、回動脚体７を前記突出位置に配置した状態から、回動脚体７の被連結部側が脚本体６側に押し込まれた使用位置までスライド可能とする。脚本体６に使用位置に配置された回動脚体７の回動を不能にする回動規制部を設ける。【選択図】図１
0003177745.tif 000002
【実用新案登録請求の範囲】
【請求項１】
開閉自在な両脚のうちの一方の脚である中心脚が脚本体と回動脚体を備え、
脚本体は連結部を有し、
回動脚体は一端部に針部を有すると共に他端部に被連結部を有し、
回動脚体の被連結部を脚本体の連結部に回動自在に連結して、回動脚体を針部が脚本体に格納される格納位置から針部側が脚本体の先端側に突出する突出位置まで回動可能とし、
前記回動脚体の被連結部を脚本体の連結部に対してスライド自在にして、回動脚体を前記突出位置に配置した状態から、回動脚体の被連結部側が脚本体側に押し込まれた使用位置までスライド自在とし、
前記脚本体に前記使用位置に配置された回動脚体の回動を不能にする回動規制部を設けたことを特徴とするコンパス。
【請求項２】
前記回動脚体は格納位置から前記両脚のうちの他方の脚である回転脚側に回動して突出位置まで回動可能なものであり、回転脚に両脚を閉じた際に前記格納位置に配置された回動脚体に着脱自在に係合されるキャッチャーを設け、前記閉じられた両脚の開き動作に伴い、前記格納位置に配置された回動脚体がキャッチャーにより回転脚側に回動して脚本体から引き出されることを特徴とする請求項１に記載のコンパス。
【請求項３】
前記両脚のうちの他方の脚である回転脚が脚部材とシャープペンシルを備え、
シャープペンシルは、芯を補充するための芯補充口部と、芯を繰り出す際に操作される操作部とを有し、
シャープペンシルを脚部材に回動自在に連結して、該シャープペンシルを、前記芯補充口部を含めた大部分が脚部材に格納され且つシャープペンシルの先部及び操作部が脚部材から突出する格納使用位置から、芯補充口部が脚部材から引き出される引出位置まで回動可能にしたことを特徴とする請求項１又は請求項２に記載のコンパス。
【考案の詳細な説明】
【技術分野】
【０００１】
本考案は円等を描くために用いられる筆記用のコンパスに関する。
【背景技術】
【０００２】
特許文献１には、紙面に円等を描く際に回転中心となる中心脚を、脚本体と脚本体の先端に枢着された回動脚体とで構成したコンパスが開示されている。このコンパスは、回動脚体が脚本体の先端側に突出する位置に配置される使用位置まで回動させることで使用可能になる。また、不使用時には、回動脚体をその針部が脚本体に格納される格納位置まで回動させることができ、これにより針部が手指に刺さることで怪我等をし難くすることができる。
【先行技術文献】
【特許文献】
【０００３】
【特許文献１】特開平１１−３０１１７５
【考案の概要】
【考案が解決しようとする課題】
【０００４】
ところで、特許文献１のコンパスは、使用位置に配置された回動脚体から延出した部分を脚本体の外側に当てることで回動脚体の脚本体外側への回動を規制している。また、使用位置に配置された回動脚体の脚本体内側への回動の規制は、回動脚体に形成された突起を脚本体に嵌入する等して回動脚体を脚本体に弾性的に係止することにより行われる。
【０００５】
ここで、前記回動脚体の脚本体に対する弾性的な係止は、コンパス不使用時において使用位置に配置された回動脚体を格納位置側に回動できるようにするために、回動脚体に対して格納位置側に回動する方向にやや強い力を加えるだけで外せるようにする必要がある。しかし、このようにすると、コンパス使用時において回動脚体に中心脚側に向かう力が加わったときに回動脚体の脚本体に対する係止が外れ、回動脚体が意図せずに中心脚の内側に回動してしまう可能性がある。このため、コンパス使用時においては、回動脚体に対して前記弾性的な係止が外れる力が加わらないように注意する必要がある。
【０００６】
本考案は上記事情に鑑みてなされたものであって、使用時において回動脚体が不意に回動することを抑制できるコンパスを提供することを課題とする。
【課題を解決するための手段】
【０００７】
上記課題を解決するために本考案のコンパスは、開閉自在な両脚２、３のうちの一方の脚である中心脚２が脚本体６と回動脚体７を備え、脚本体６は連結部を有し、回動脚体７は一端部に針部１２を有すると共に他端部に被連結部１４を有し、回動脚体７の被連結部１４を脚本体６の連結部に回動自在に連結して、回動脚体７を針部１２が脚本体６に格納される格納位置から針部１２側が脚本体６の先端側に突出する突出位置まで回動可能とし、前記回動脚体７の被連結部１４を脚本体６の連結部に対してスライド自在にして、回動脚体７を前記突出位置に配置した状態から、回動脚体７の被連結部１４側が脚本体６側に押し込まれた使用位置までスライド自在とし、前記脚本体６に前記使用位置に配置された回動脚体７の回動を不能にする回動規制部を設けたことを特徴とする。
【０００８】
また、前記回動脚体７は格納位置から前記両脚２、３のうちの他方の脚である回転脚３側に回動して突出位置まで回動可能なものであり、前記両脚２、３を閉じた際に前記格納位置に配置された回動脚体７に着脱自在に係合されるキャッチャー３８を設け、前記閉じられた両脚２、３の開き動作に伴い、前記格納位置に配置された回動脚体７がキャッチャー３８により回転脚３側に回動して脚本体６から引き出されることが好ましい。
【０００９】
また、前記両脚２、３のうちの他方の脚である回転脚３が脚部２１とシャープペンシル５を備え、シャープペンシル５は、芯を補充するための芯補充口部３０と、芯を繰り出す際に操作される操作部２５とを有し、シャープペンシル５を脚部材２１に回動自在に連結して、該シャープペンシル５を、前記芯補充口部３０を含めた大部分が脚部材２１に格納され且つシャープペンシル５の先部及び操作部２５が脚部材２１から突出する格納使用位置から、芯補充口部３０が脚部材２１から引き出される引出位置まで回動可能にすることが好ましい。
【考案の効果】
【００１０】
請求項１に係る考案にあっては、突出位置に配置された回動脚体を被連結部側が脚本体側に押し込まれた使用位置までスライド自在とし、脚本体に使用位置に配置された回動脚体の回動を不能にする回動規制部を設けたことにより、脚本体の回動規制部として、回動脚体を弾性的な係止ではなく強固な支持により回動不能とするものを採用することができ、これによりコンパス利用時に回動脚体が脚本体に対して回動することを確実に防止できる。
【００１１】
また、請求項２に係る考案にあっては、請求項１に係る考案の効果に加えて、閉じられた両脚の開き動作に伴い、格納位置に配置された回動脚体がキャッチャーにより脚本体から引き出されるので、両脚を開くだけで回動脚体を簡単に引き出すことができる。
【００１２】
また、請求項３に係る発明にあっては、請求項１又は請求項２に係る考案の効果に加えて、シャープペンシルの芯補充口部を含めた大部分を脚部材に格納して、コンパスをコンパクトにすることができる。また、シャープペンシルを格納使用位置に配置したとき操作部が脚部材から突出するので、シャープペンシルを格納使用位置に配置したまま、操作部を操作してシャープペンシルの芯を繰り出すことができる。また、シャープペンシルを引出位置に配置することで、芯補充口部を脚部材から引き出すことができ、この芯補充口部からシャープペンシルに芯を補充することができる。
【図面の簡単な説明】
【００１３】
【図１】本発明の実施形態のコンパスを示す斜視図である。
【図２】（ａ）〜（ｄ）は格納位置に配置された回動脚体が突出位置まで回動された後、使用位置までスライドされる様子を順に示したコンパスの縦断面図である。
【図３】回動脚体を格納位置に配置すると共にシャープペンシルを引出位置に配置した様子を示したコンパスの斜視図である。
【図４】図２（ａ）のＡ−Ａ断面図である。
【考案を実施するための形態】
【００１４】
以下本考案を添付図面に基づいて説明する。図１乃至図４に示される本実施形態のコンパス１は、一般的なコンパスと同様、両脚２、３の夫々の端部を、摘まみ２０が突設された軸支部材４に回動自在に連結して、両脚２、３を開閉自在にしたものである。
【００１５】
以下特に区別する場合には、両脚２、３のうち紙面に描かれる円等の中心を決めるための脚を中心脚２と記載し、また、シャープペンシル５が設けられて紙面に円等を描く際に中心脚２を中心に回転させる脚を回転脚３と記載する。
【００１６】
一方の脚を構成する中心脚２は、図１に示されるように脚本体６と脚本体６に対して回動自在に連結された回動脚体７とで構成されている。細長い脚本体６の一端部は軸支部材４に軸支されており、これにより中心脚２全体を軸支部材４に対して回動できるようになっている。図２に示されるように脚本体６の軸支部材４側の端部を除いた部分は回動脚体７を格納するための格納部８を構成している。
【００１７】
格納部８は図４に示されるように長手方向と直交する断面が回転脚３側に開口する溝形に形成されている。図２に示される格納部８の回転脚３と反対側の背面部は、回動脚体７の脚本体６に対する回動範囲を制限する回動範囲制限部１６を構成している。脚本体６には回動脚体７の端部が連結される連結部が設けられている。本実施形態の連結部は断面溝形の格納部８の両側部間に架設された軸１３で構成されており、軸１３は両脚２、３の開閉面に対して直交している。
【００１８】
回動脚体７は細長い針保持部材１０と針保持部材１０に保持された針１１とで構成されている。針１１は針先と反対側の部分が針保持部材１０に埋め込まれた状態で針保持部材１０に固定されている。針１１の尖った先端部は針保持部材１０の先端側（脚本体６と反対側）に突出しており、同部は紙面に円を描く際等に支点として利用される針部１２を構成している。なお、本実施形態の回動脚体７は別体の針保持部材１０と針１１とで構成したが、先端に針部を一体に形成したものであってもよい。
【００１９】
針保持部材１０の針部１２と反対側の端部は脚本体６に連結される被連結部１４を構成している。被連結部１４には、両脚２、３の開閉面と直交する方向に貫通すると共に針保持部材１０の長手方向に長い長孔１５が形成されている。長孔１５には前記脚本体６に設けられた軸１３がその軸回り方向に回動自在に且つ長孔１５の長手方向にスライド自在に挿通され、これにより回動脚体７の被連結部１４が脚本体６の軸１３に対して回動自在且スライド自在に連結されている。また、これによって実現される回動脚体７の脚本体６に対するスライド範囲は長孔１５の長さによって決定される。なお、回動脚体７を脚本体６に対して回動自在且つスライド自在に連結する手段はこれに限定されるものではなく、例えば脚本体６に設けられた長孔に回動脚体７に設けられた軸を挿通する等して実現してもよい。
【００２０】
図２（ａ）〜（ｃ）に示されるように軸１３を長孔１５における針部１２と反対側の端部に配置した状態においては、回動脚体７は軸１３を中心に回動できるようになっている。この回動脚体７の回動は脚本体６の回動範囲制限部１６によって図２（ａ）に示す格納位置から図２（ｃ）に示される突出位置までの範囲に制限されている。
【００２１】
格納位置に配置された回動脚体７は、図２（ａ）に示されるように脚本体６と略平行で且つ針部１２の先端を軸支部材４側に向けた状態で脚本体６の格納部８に格納される。この回動脚体７は針部１２を含む全体が格納部８内側の空間に収納される。また、格納位置に配置された回動脚体７は脚本体６の回動範囲制限部１６の近傍に位置する又は回動範囲制限部１６に当接する。これにより格納位置に配置された回動脚体７は、回転脚３と反対側（突出位置と反対側）への回動が制限される。なお、格納位置に配置された回動脚体７の軸１３を中心とした回転脚３側（突出位置側）への回動は許容される。
【００２２】
図２（ａ）に示される格納位置に配置された回動脚体７は、図２（ｂ）に示される状態を経て図２（ｃ）に示される突出位置まで回動させることができる。図２（ｃ）に示される突出位置に配置された回動脚体７は脚本体６と略平行で且つ針部１２の先端を脚本体６の先端側に向けた状態とされ、回動脚体７の針部１２を含めた先端側は格納部８から脚本体６の先端側に大きく突出する。この突出位置に配置された回動脚体７の被連結部１４は、脚本体６の回動範囲制限部１６の近傍に位置する又は回動範囲制限部１６に当接する。これにより突出位置に配置された回動脚体７は回転脚３側（格納位置側）への回動は許容されるものの、回転脚３と反対側（格納位置と反対側）には回動できない。
【００２３】
回動脚体７が図２（ａ）に示される格納位置から、図２（ｃ）に示される突出位置よりもやや手前の位置までの範囲にあるとき、回動脚体７の基端側（針部１２と反対側）には脚本体６の回動範囲制限部１６が近傍に位置して対向する又は当接する。これにより、回動脚体７の脚本体６側へのスライドが規制される。これに対して、回動脚体７が図２（ｃ）に示される突出位置に配置されたとき、回動脚体７の基端側には回動脚体７の脚本体６側へのスライドを規制する部材が存在しない。このため、回動脚体７の脚本体６側へのスライドは許容される。
【００２４】
図２（ｃ）に示される突出位置に配置された回動脚体７は、脚本体６側に押し込ことにより、図２（ｄ）に示される使用位置までスライドさせることができる。このとき、長孔１５における針部１２と反対側の端部に配置された軸１３は長孔１５における針部１２側の端部までスライドする。この回動脚体７のスライド時には回動脚体７の針保持部材１０が脚本体６の回動範囲制限部１６に沿ってスライドし、これにより回動脚体７のスライド方向が脚本体６の長手方向に制限される。
【００２５】
図２（ｄ）に示される使用位置に配置された回動脚体７は、その被連結部１４側が格納部８の先端部内に深く挿入される。このため、使用位置に配置された回動脚体７が軸１３を中心にしてその先端側を回転脚３側に移動させる方向に回動しようとしたとき、当該回動脚体７の基端側に位置する箇所が、脚本体６の回動範囲制限部１６に当たり、この回動を不能にする。また、回動脚体７が軸１３を中心にしてその先端側を回転脚３と反対側に回動しようとしたときには、回動脚体７の被連結部１４の軸１３よりも先端側に位置する箇所が回動範囲制限部１６に当たり、この回動を不能にする。すなわち、使用位置に配置された回動脚体７は、被連結部１４における軸１３を挟んだ両側の二箇所が脚本体６の回動範囲制限部１６に当たることにより、回転脚３側への回動を不能にすると共に、回転脚３と反対側への回動を不能にするものであり、本実施形態ではこの回動範囲制限部１６により使用位置に配置された回動脚体７の回動を不能にする回動規制部が構成されている。
【００２６】
中心脚２は図２（ａ）に示される格納位置に配置された回動脚体７が脚本体６の先端側にスライドすることを規制するスライド規制手段を備えている。本実施形態のスライド規制手段は、脚本体６に設けられた係止部１７（図４、図２（ｂ）〜図２（ｄ）参照）と、回動脚体７に設けられて前記係止部１７に着脱自在に係止可能な被係止部１８（図１参照）とで構成されている。
【００２７】
係止部１７は図４等に示されるように断面溝形の格納部８の両側部分の夫々の内面から突出した突部１７ａで構成されている。他方、被係止部１８は図１に示されるように回動脚体７の針保持部材１０の軸１３と直交する両面において針部１２側の部分に形成された溝部１８ａで構成されている。各溝部１８ａは、針保持部材１０の幅方向（すなわち、軸１３の軸方向及び針保持部材１０の長手方向の両者に直交する方向）に亘って形成されており、その端部は突部１７ａを溝部１８ａ内に挿入するために針保持部材１０の幅方向外側に向かって開口している。回動脚体７を軸１３を中心にして図２（ｃ）に示される突出位置から図２（ａ）に示される格納位置まで回動すると、各溝部１８ａには端部から対応する突部１７ａが挿入される。これにより各突部１７ａは対応する溝部１８ａに対して脚本体６の長手方向に移動不能に係止され、回動脚体７は脚本体６の長手方向に移動不能となる。なお、各突部１７ａを対応する溝部１８ａに係止した状態では、回動脚体７の軸１３を中心にした回転脚３側への回動は規制されない。また、スライド規制手段は上記のものに限定されるものではなく、例えば格納位置に配置された回動脚体７が脚本体６に対して弾性的に係止されるようにしてもよい。
【００２８】
中心脚２は図２（ｄ）に示される使用位置に配置された回動脚体７を保持する保持手段を備えている。本実施形態の保持手段は、図２（ｂ）〜（ｄ）に示されるように脚本体６の回動範囲制限部１６（格納部８における回転脚３と反対側の背面部）の内面に形成された突条部１９で構成されている。突条部１９は脚本体６の先端（軸支部材４と反対側の端）から軸支部材４側に向かって延びている。突条部１９は図２（ｄ）に示されるように使用位置に配置された回動脚体７の被連結部１４に対応する位置に形成されており、回動脚体７を使用位置に配置したときに被連結部１４に当接する。回動脚体７を図２（ｃ）に示される突出位置から図２（ｄ）に示される使用位置までスライドさせると、被連結部１４は突条部１９に沿って摺動し、この際の摺動抵抗は回動脚体７が使用位置に近づく程徐々に大きくなるように設定されている。そして、回動脚体７が使用位置に配置されると、回動脚体７の被連結部１４が突条部１９に弾接した状態となり、これにより回動脚体７は突出位置側にスライドしないよう保持される。また、図２（ｄ）に示される使用位置に配置された回動脚体７に、脚本体６の先端側に向けてやや大きい力を加えた場合、前記保持手段による保持を解除して図２（ｃ）に示される突出位置までスライドできるようになっている。なお、図示は省略するが本実施形態の突条部１９は軸１３の軸方向に間隔を介して２条設けられている。もっとも突条部１９は１条だけ設けてもよいし、３条以上設けても構わない。また、保持手段は上記のものに限定されず、例えば使用位置に配置された回動脚体７が脚本体６に対して弾性的に係止されるようにしてもよい。
【００２９】
図３に示されるように他方の脚を構成する回転脚３は脚部材２１と脚部材２１に対して両脚２、３の開閉面に沿って回動自在に連結されたシャープペンシル５とで構成されている。
【００３０】
細長い脚部材２１の一端部は軸支部材４に回動自在に連結されており、その回動軸は中心脚２の回動軸と一致する。脚部材２１の軸支部材４側の端部を除いた部分はシャープペンシル５の大部分を格納するための格納部２２を構成している。格納部２２は図４に示されるように長手方向と直交する断面が中心脚２と反対側に開口する溝形に形成されている。また、脚部材２１にはシャープペンシル５が連結される連結部が設けられている。本実施形態の連結部は断面溝形の格納部２２の両側部に形成された図３に示される孔２４で構成されている。
【００３１】
シャープペンシル５はノック式であって、図２に示されるように、軸筒２６、機構部２７、及びキャップ３１を有している。機構部２７は、一般的なノック式のシャープペンシルと同様に、軸筒２６内に軸筒２６の軸方向にスライド自在に収納された筒状の芯タンク２８と、芯タンク２８をペン尻側に付勢するばね部材（不図示）と、芯タンク２８のペン先側端部に設けられた芯繰出装置２９を有し、操作部２５の操作に応じ芯タンク２８を介して連動する芯繰出装置２９により芯をシャープペンシル５のペン先側に繰り出す。
【００３２】
芯タンク２８のペン尻側端部は軸筒２６内からペン尻側に突出している。芯タンク２８のペン尻側の端部は芯タンク２８内に芯を補充するための芯補充口部３０を構成する。
【００３３】
キャップ３１は芯タンク２８の芯補充口部３０に着脱自在に被嵌され、芯補充口部３０を閉塞する。キャップ３１にはクリップを兼ねた操作部２５が一体に接続されている。操作部２５は軸筒２６の軸方向から見て軸筒２６の外側に位置している。操作部２５を軸筒２６に沿ってペン先側に移動することで、操作部２５にキャップ３１を介して連結された芯タンク２８を前記ばねの付勢力に抗してペン先側に押し込むことができ、これにより芯を繰り出すことができる。
【００３４】
軸筒２６のペン先側部分の両側には軸筒２６から離れる方向に突出した軸部３２（図３参照）が形成されている。各軸部３２は脚部材２１の対応する孔２４に回動自在に嵌め込まれ、これによりシャープペンシル５は脚部材２１に対して回動自在に連結されている。
【００３５】
上記のように脚部材２１に連結されたシャープペンシル５は、図１に示される格納使用位置から、図３に示される引出位置まで回動できるようなっている。
【００３６】
図１に示されるように格納使用位置に配置されたシャープペンシル５は、先部を格納部２２から脚部材２１の先端側に突出させた状態で芯補充口部３０及びキャップ３１（操作部２５は含まない）を含めた大部分が脚部材２１に格納される。図２に示されるように格納使用位置に配置されたシャープペンシル５の中心脚２側には断面溝形の格納部２２の中心脚２側の背面部が近傍に位置する又は当接する。このため格納使用位置に配置されたシャープペンシル５は、軸部３２を中心にしてペン尻側が中心脚２側に移動する方向に回動できない。なお、格納使用位置に配置されたシャープペンシル５は、ペン尻側が中心脚２と反対側に移動する方向への回動は許容される。
【００３７】
また、図２に示されるように格納使用位置に配置されたシャープペンシル５のキャップ３１は、格納部２２の軸支部材４側の内面に当接する又は近傍に配置され、これにより芯タンク２８の芯補充口部３０に被嵌されたキャップ３１は芯補充口部３０から脱落し難くなっている。
【００３８】
また、格納使用位置に配置されたシャープペンシル５の操作部２５は格納部２２から中心脚２と反対側に突出した位置に配置される。このため、シャープペンシル５を格納使用位置に配置したまま、操作部２５を操作して芯を繰り出すことができる。なお、本実施形態では操作部２５をキャップ３１と一体に形成したが、例えばサイドノック方式のシャープペンシルのように軸筒２６に操作部を設ける等してもよく、操作部はキャップ３１と別体であってもよい。
【００３９】
図３に示されるように引出位置に配置されたシャープペンシル５は、芯補充口部３０及びキャップ３１を含めた大部分が脚部材２１の格納部２２から引き出される。このためキャップ３１を芯タンク２８の芯補充口部３０から取り外して、芯補充口部３０から芯を補充することができる。
【００４０】
また、格納部２２の先端部（軸支部材４と反対側の端部）には、格納部２２の中心脚２側を切り欠いた切欠部２３が形成されている。切欠部２３の軸支部材４側の縁部には、シャープペンシル５が脚部材２１から大きく引き出されたときにシャープペンシル５の一部が接触するようになっており、これによりシャープペンシル５を脚部材２１から必要以上に引き出されないようにしている。
【００４１】
回転脚３は図１に示される格納使用位置に配置されたシャープペンシル５を保持する保持手段を備えている。本実施形態の保持手段は、図２に示されるシャープペンシル５に設けた被係止部３４と、脚部材２１に設けられて被係止部３４が着脱自在に係止される係止部３５とで構成されている。被係止部３４はキャップ３１から脚部材２１側に向けて一体に突出しており、その突出先端部には爪部３６が形成されている。係止部３５は格納部２２の中心脚２側の背面部に形成された脚部材２１の長手方向に長い長孔３７の軸支部材４側の縁部で構成されている。
【００４２】
キャップ３１を取り付けた状態でシャープペンシル５を引出位置から格納使用位置に向けて回動すると、爪部３６が係止部３５（長孔３７の軸支部材４側の縁部）を乗り越え、格納使用位置に至った時点で係止部３５の中心脚２側の面に係止される。この係止により、シャープペンシル５は引出位置側に回動しないようになり、シャープペンシル５は格納使用位置で保持される。なお、前記爪部３６が係止部３５を乗り越える動作は、爪部３６が弾性変形して、又はキャップ３１が芯タンク２８と共に前記ばねの付勢力に抗してペン先側に移動して、あるいは爪部３６が弾性変形すると共にキャップ３１が芯タンク２８と共に前記ばねの付勢力に抗してペン先側に移動して、スムーズに行われるようになっている。また、爪部３６が係止部３５を乗り越えた後は、前記ばねの付勢力により爪部３６が係止部３５に係止された状態が維持される。
【００４３】
また、格納使用位置に配置されたシャープペンシル５を引出位置側に回動にするには、まずシャープペンシル５の脚部材２１から突出した操作部２５を操作してペン先側に移動する。これにより前記被係止部３４は前記ばねの不勢力に抗して長孔３７内を脚部材２１の先端側にスライドして、爪部３６と係止部３５の係止が解除され、シャープペンシル５は引出位置側に回動可能となる。そして、この状態でシャープペンシル５を引出位置側に回動することで、長孔３７から被係止部３４を中心脚２と反対側に引き抜いて、シャープペンシル５を引出位置まで回動することができる。
【００４４】
また、回転脚３は、図２（ａ）に示されるように両脚２、３を閉じると共に中心脚２の回動脚体７を格納位置に配置した状態から図２（ｂ）に示されるように両脚２、３を開く方向に回動させたとき、中心脚２の格納部８に格納された回動脚体７を回転脚３側に引き出す引出手段を備えている。本実施形態の引出手段は、図２や図４に示されるようにシャープペンシル５の軸筒２６から中心脚２側に突出したキャッチャー３８で構成されている。キャッチャー３８の突出先端部には爪部４０が形成されている。シャープペンシル５を格納する格納部２２の中心脚２側の背面部には、キャッチャー３８が挿通される孔３９が形成されている。図２及び図４に示されるようにシャープペンシル５が格納使用位置に配置されているとき、キャッチャー３８は孔３９を通して中心脚２側に突出する。両脚２、３を開き、且つ、シャープペンシル５を格納使用位置に配置し、且つ回動脚体７を格納位置に配置した状態で両脚２、３を閉じていくと、爪部４０は弾性変形しながら回動脚体７の針部１２を乗り越え、両脚２、３が完全に閉じられた時点図４に示されるように針部１２に係合される。
【００４５】
また、このように両脚２、３を閉じた状態から両脚２、３を開いていくと、針部１２が爪部４０により保持されて、前記格納位置に配置された回動脚体７が軸１３を中心に回転脚３側に回動し、これにより回動脚体７が図２（ｂ）に示されるように脚本体６の回転脚３側に引き出される。そして、このように回動脚体７が回転脚３側に引き出されると、前記爪部４０の針部１２に対する係合が外れてキャッチャー３８による針部１２の保持が開放される。すなわち、本実施形態では両脚２、３の開き動作に伴い格納位置に配置された回動脚体７が自動的に引き出されるようになっている。
【００４６】
なお、本実施形態では回転脚３に回動自在なシャープペンシル５を設けたが、回転脚３にはシャープペンシル５を固定的に設けてもよく、また、回転脚３にはシャープペンシル５に代えて鉛筆等の他の筆記具を設けてもよい。
【００４７】
既述のコンパス１を用いて紙面に円等を描くには、図１に示すように回動脚体７を使用位置に配置すると共にシャープペンシル５を格納使用位置に配置すればよい。このように使用位置に配置された回動脚体７は、脚本体６の回動範囲制限部１６（回動規制部）によって支持固定されて回動不能になるため、コンパス１利用時において回動脚体７に比較的大きな力が加わったとしても回動脚体７が回動する可能性は低い。すなわち、本実施形態のコンパス１は、突出位置に配置された回動脚体７を被連結部１４側が脚本体６側に押し込まれた使用位置までスライド自在としたことで、回動脚体７を弾性的な係止ではなく脚本体６による強固な支持により回動不能にすることができ、これによりコンパス１利用時に回動脚体７が脚本体６に対して回動することを確実に防止できる。
【００４８】
また、使用位置に配置された回動脚体７は前述したように脚本体６に設けられた突条部１９により保持されるので、回動脚体７は意図せずに突出位置側にスライドし難くなっている。さらに通常コンパス１は針部１２を紙面側に押さえ付けて利用するため、回動脚体７には突出位置側にスライドする方向の力が加わり難い。このため、コンパス１利用時においては、使用位置に配置された回動脚体７が意図せずに突出位置側にスライドする可能性も低い。
【００４９】
また、コンパス１を利用しないときには、前述のように回動脚体７を使用位置から突出位置までスライドさせ、この後、格納位置まで回動することで、回動脚体７を脚本体６に格納してコンパス１をコンパクトにすることができる。また、このように回動脚体７を格納位置に配置すると、回動脚体７の針部１２を脚本体６に格納して隠すことができ、針部１２により手指等が傷付けられ難くなって安全性が高い。また、これにより携帯用コンパスとしても利用できる。また、コンパス１を次回利用する際には、両脚２、３を開くだけで、回転脚３に設けられたキャッチャー３８により格納位置に配置された回動脚体７を簡単に引き出すことができる。
【００５０】
また、回転脚３にあっては、シャープペンシル５を格納使用位置に配置して脚部材２１に格納することで、シャープペンシル５の芯補充口部３０を含めた大部分を脚部材２１と同軸上に配置してコンパクトにすることができる。また、格納位置に配置されたシャープペンシル５は操作部２５が脚部材２１から突出した位置に配置されるため、シャープペンシル５を格納使用位置に配置したまま、操作部２５を操作してシャープペンシル５の芯を繰り出すことができる。また、シャープペンシル５を格納使用位置に配置すると共に回動脚体７を格納位置に配置し、且つ両脚２、３を閉じた状態にすることで、コンパス１を筆記具のような略棒状の握り易い形状にすることができ、コンパス１を筆記具として利用することもできる。
【００５１】
また、シャープペンシル５を脚部材２１に対して回動して引出位置に配置することで、芯補充口部３０を脚部材２１から引き出すことができ、この芯補充口部３０からシャープペンシル５に芯を補充することができる。
【００５２】
また、図示は省略するが、回動脚体７を使用位置に配置すると共にシャープペンシル５を格納使用位置に配置し、且つ両脚２、３を閉じた状態において、両脚２、３の先端部で構成されるコンパス１の先端部には、シャープペンシル５の先部及び回動脚体７を覆うキャップ部材を着脱自在に取り付けられるようにしてもよい。また、このキャップ部材は回動脚体７が格納位置に配置されている場合にもコンパス１の先端部に取り付けられるようにすることが好ましい。このようなキャップ部材を設けることで、シャープペンシル５の先部及び使用位置に配置された回動脚体７の針部１２をキャップ部材で覆うことができ、不使用時や携帯時における安全性をさらに高められる。
【００５３】
なお、本発明は、上述した実施形態に限定されるものではなく、本発明の趣旨を逸脱しない範囲内で、必要に応じて、任意に且つ適宜に変更・選択して採用できるものである。
【符号の説明】
【００５４】
１  コンパス
２  中心脚
３  回転脚
５  シャープペンシル
６  脚本体
７  回動脚体
１２  針部
１４  被連結部
２１  脚部材
２５  操作部
３０  芯補充口部
３８  キャッチャー
【図１】
0003177745.tif 000003
【図２】
0003177745.tif 000004
【図３】
0003177745.tif 000005
【図４】
0003177745.tif 000006